(57)【特許請求の範囲】
【請求項１】
読取媒体を設置するコンタクトガラスと、
コンタクトガラスに設置された読取媒体をコンタクトガラスに押し付ける圧板と、
コンタクトガラスに設置された読取媒体の画像を読み取る画像読取手段とを備えた画像読取装置において、
当該画像読取装置内にカードを挿入するためのカード挿入口と、
上記圧板と上記カード挿入口との間に配置され、上記カード挿入口に挿入された上記カードを上記コンタクトガラスを保持する筐体に押し付けながら上記コンタクトガラスと上記圧板との当接面に向けて搬送する搬送手段、上記カード挿入口にカードが挿入されたことを検知するカード検知手段、および、上記搬送手段を、上記筐体上のカードに対して接離させる接離手段を有し、上記カード挿入口に挿入されたカードを、コンタクトガラスと圧板との当接面へ挿入するカード挿入手段と、
上記カード検知手段が、上記カード挿入口にカードが挿入されたことを検知したら、上記搬送手段を上記カードに当接させて、上記カードを上記当接面に向けて搬送し、上記カードの読取動作の終了を検知したら、上記カードを上記カード挿入口に向けて搬送したのち、上記搬送手段を上記カードから離間させるよう制御する制御手段とを備え、
上記搬送手段のカード搬送方向長さが、カードのカード搬送方向長さ未満であり、
上記圧板は、上記筐体に対して開閉自在に取り付けられており、
上記搬送手段を、上記圧板とともに上記筐体に対して開閉自在に設けたことを特徴とする画像読取装置。
【請求項２】
読取媒体を設置するコンタクトガラスと、
コンタクトガラスに設置された読取媒体をコンタクトガラスに押し付ける圧板と、
コンタクトガラスに設置された読取媒体の画像を読み取る画像読取手段とを備えた画像読取装置において、
当該画像読取装置内にカードを挿入するためのカード挿入口と、
上記圧板と上記カード挿入口との間に配置され、上記カード挿入口に挿入された上記カードを上記コンタクトガラスを保持する筐体に押し付けながら上記コンタクトガラスと上記圧板との当接面に向けて搬送する搬送手段を有し、上記カード挿入口に挿入されたカードを、コンタクトガラスと圧板との当接面へ挿入するカード挿入手段と、
上記筐体の上記コンタクトガラスよりも上記カード挿入口側に、上記カード挿入時は、少なくともコンタクトガラス側の端部が、該コンタクトガラスの読取媒体設置面よりも突出し、上記カード抜き出し時は、少なくともコンタクトガラス側の端部が、該コンタクトガラスの読取媒体設置面と同一高さ以下となる底板とを備え、
上記搬送手段のカード搬送方向長さが、カードのカード搬送方向長さ未満であり、
上記圧板は、上記筐体に対して開閉自在に取り付けられており、
上記搬送手段を、上記圧板とともに上記筐体に対して開閉自在に設けたことを特徴とする画像読取装置。
【請求項３】
請求項１または２の画像読取装置において、
上記コンタクトガラスの上記読取媒体が設置される設置領域の一部が、上記カード挿入手段による挿入完了後のカードが設置されるカード設置領域の少なくとも一部として用いられることを特徴とする画像読取装置。
【請求項４】
請求項１乃至３いずれかの画像読取装置において、
上記圧板の上記カード挿入口との対向面を、上記カード挿入口へ近づくにつれ上記コンタクトガラスから離間するテーパ面としたことを特徴とする画像読取装置。
【請求項５】
請求項１乃至４いずれかの画像読取装置において、
少なくとも上記コンタクトガラスのカードが設置される部分と対向する第１圧板と、上記コンタクトガラスの第１圧板と対向していない部分と対向する第２圧板とを備えたことを特徴とする画像読取装置。
【請求項６】
請求項５の画像読取装置において、
上記第２圧板に上記カードが突き当る付き当て面を設けたことを特徴とする画像読取装置。
【請求項７】
請求項１乃至６いずれかの画像読取装置において、
読取媒体がセットされる読取媒体セット部と、読取媒体が排出される読取媒体排出部とを有し、読取媒体セット部にセットされた読取媒体を画像読取手段の読取位置を経由して、上記読取媒体排出部へ排出する自動搬送装置を備え、
該自動搬送装置は、上記圧板の上部に設けられており、
上記自動搬送装置に上記カード挿入手段を設けたことを特徴とする画像読取装置。
【請求項８】
請求項７の画像読取装置において、
上記圧板の上部に上記自動搬送装置の上記読取媒体排出部が設けられており、
上記カード挿入手段を上記読取媒体排出部の読取媒体搬送方向下流部に設けたことを特徴とする画像読取装置。
【請求項９】
請求項１乃至８いずれかの画像読取装置において、
上記カード挿入手段をユニット化して、装置本体に対して着脱可能に構成したことを特徴とする画像読取装置。
【請求項１０】
請求項１乃至９いずれかの画像読取装置において、
読取媒体がセットされる読取媒体セット部と、読取媒体が排出される読取媒体排出部とを有し、読取媒体セット部にセットされた読取媒体を画像読取手段の読取位置を経由して、上記読取媒体排出部へ排出する自動搬送装置と、
上記カード挿入口にカードが挿入されたことを検知するカード検知手段と、
上記読取媒体セット部に読取媒体がセットされたことを検知する読取媒体セット検知手段とを備え、
コンタクトガラスに設置された読取媒体の画像を読み取るフラットベッドスキャンモードと、カード挿入口に挿入されたカードの画像を読み取るカードスキャンモードと、自動搬送装置で読取媒体を搬送しながら、読取媒体の画像を読み取るＡＤＦスキャンモードとを有し、
上記カード検知手段の検知結果と、上記読取媒体セット検知手段の検知結果とに基づいて、上記モードを選択するモード選択手段を備えたことを特徴とする画像読取装置。
【請求項１１】
請求項１乃至１０いずれかの画像読取装置において、
上記カード挿入口を、当該装置を操作するための操作部が設けられた側に設けたこと特徴とする画像読取装置。
【請求項１２】
記録材に画像を形成する画像形成手段と、読取媒体の画像を読み取る画像読取装置とを備え、該画像読取装置で読み取った画像を該画像形成手段によって該記録材に形成する画像形成装置において、
上記画像読取装置として、請求項１乃至１１のいずれかの画像読取装置を用いたことを特徴とする画像形成装置。
【発明の詳細な説明】
【技術分野】
【０００１】
本発明は、スキャナ等の原稿読取装置および複写機、ファクシミリ等の画像形成装置に関するものである。
【背景技術】
【０００２】
フラットベッドスキャナ等の画像読取装置においては、一般に、コンタクトガラスに載置された読取媒体たる原稿の画像面に沿って移動可能なキャリッジを備えている。この画像読取装置においては、コンタクトガラス上に原稿を置き、圧板で原稿を押え、キャリッジを移動させながらキャリッジ上の光源からの光をコンタクトガラス上の原稿の画像面に照射し、その反射光をＣＣＤ（Ｃｈａｒｇｅ  Ｃｏｕｐｌｅｄ  Ｄｅｖｉｃｅｓ）などの撮像素子で受光して画像を読み取る。また、自動原稿搬送装置（ＡＤＦ：オートドキュメントフィーダー）を搭載した画像読取装置も知られている。この画像読取装置は、読取モードとして、上記と同様にキャリッジを移動させながら画像を読み取るフラットベッドスキャンモードのほか、キャリッジを所定の固定読取位置（ホームポジション）に停止させた状態でＡＤＦにより原稿を搬送しながらキャリッジ上の光源からの光を原稿の画像面に照射し、その反射光を撮像素子で受光して画像を読み取るＡＤＦスキャンモードを備えている。
【０００３】
上記ＡＤＦの原稿搬送経路は、曲がっているものが多く、運転免許証などの曲げすぎると、塑性変形するようなカードは、上記ＡＤＦスキャンモードで読み取ることができない。このため、このようなカードは、上記フラットベッドスキャンモードで読み取っていた。上記フラットベッドスキャンモードでカードを読み取る場合、コンタクトガラスに対して開閉可能に取り付けられた圧板を開け、コンタクトガラス上にカードをセットし、圧板を閉じてから、カードの読み取りが行われる。一般的に、上記ＡＤＦは、圧板と一体的に設けられているため、圧板の開閉にある程度の力がいり、圧板の開閉動作が、煩雑であるという問題がある。
【０００４】
特許文献１には、コンタクトガラスと圧板とで構成されたフラットベット読取部とは別に、カードを読み取るためのカード読取部を備えた画像読取装置が記載されている。
図１５は、圧板とカード読取部とを取り外した状態の特許文献１に記載の画像読取装置の平面図であり、図１６（ａ）は、特許文献１に記載の画像読取装置のカード読取部２００周辺の斜視図であり、（ｂ）は、カード読取部２００の断面図である。
図１５に示すように、原稿読取装置の原稿台２１０には、コンタクトガラス２１１と、カード読取窓２１２とが形成されている。図１６（ａ），（ｂ）に示すように、カード読取窓２１２上には、カード挿入口２０１が設けられたカード読取部２００が対向している。一方、コンタクトガラス２１０には、コンタクトガラス２１１に対して開閉自在に原稿台２１０に取り付けられた不図示圧板が対向する。
カードの画像を読み取る場合は、図１６（ｂ）に示すように、カード読取部２００のカード挿入口２０１にカードＣを挿入する。すると、カードＣが、カード読取窓２１２に対して、所定の間隔を開けて対向する。カード挿入口２０１にカードＣを挿入した後、不図示のスタートボタンをユーザーが押すと、不図示のキャリッジが、カード読取窓２１２へ移動し、カードＣの画像を読み取る。
【０００５】
このように、特許文献１に記載の画像読取装置においては、圧板を開閉することなく、カードＣの読取を行うことができ、カードの画像を読み取る際の作業を簡素化することができる。
【発明の概要】
【発明が解決しようとする課題】
【０００６】
しかしながら、特許文献１に記載の画像読取装置においては、次のような問題があった。すなわち、特許文献１に記載の画像読取装置は、コンタクトガラス２１１に載置される原稿画像は、コンタクトガラス２１１に密接させて、画像が読み取られるのに対し、カードは、読取窓２１２に対して所定の間隔を開けて画像が読み取られる。従って、コンタクトガラス２１１に載置される原稿画像と撮像素子との距離と、カード読取部２００にセットされたカードＣと撮像素子との距離とが互いに異なる。その結果、コンタクトガラス２１１に載置される原稿画像とカード読取部２００にセットされたカード画像との両方にピントを合わせるのが困難である。このため、コンタクトガラス上の原稿画像とカード読取部２００にセットされたカードの画像とを鮮明に読み込むためには、ピント調整機構を設ける必要があり、コスト高に繋がるという問題がある。
【０００７】
本発明は以上の問題点に鑑みなされたものであり、その目的は、ピント調整機構を設けなくても、コンタクトガラス上の読取媒体の画像と、カード挿入口に挿入されたカードの画像とを鮮明に読み込むことができる画像読取装置および画像形成装置を提供することである。
【課題を解決するための手段】
【０００８】
上記目的を達成するために、請求項１の発明は、読取媒体を設置するコンタクトガラスと、コンタクトガラスに設置された読取媒体をコンタクトガラスに押し付ける圧板と、コンタクトガラスに設置された読取媒体の画像を読み取る画像読取手段とを備えた画像読取装置において、当該画像読取装置内にカードを挿入するためのカード挿入口と、上記圧板と上記カード挿入口との間に配置され、上記カード挿入口に挿入された上記カードを上記コンタクトガラスを保持する筐体に押し付けながら上記コンタクトガラスと上記圧板との当接面に向けて搬送する搬送手段、上記カード挿入口にカードが挿入されたことを検知するカード検知手段、および、上記搬送手段を、上記筐体上のカードに対して接離させる接離手段を有し、上記カード挿入口に挿入されたカードを、コンタクトガラスと圧板との当接面へ挿入するカード挿入手段と、上記カード検知手段が、上記カード挿入口にカードが挿入されたことを検知したら、上記搬送手段を上記カードに当接させて、上記カードを上記当接面に向けて搬送し、上記カードの読取動作の終了を検知したら、上記カードを上記カード挿入口に向けて搬送したのち、上記搬送手段を上記カードから離間させるよう制御する制御手段とを備え、上記搬送手段のカード搬送方向長さが、カードのカード搬送方向長さ未満であり、上記圧板は、上記筐体に対して開閉自在に取り付けられており、上記搬送手段を、上記圧板とともに上記筐体に対して開閉自在に設けたことを特徴とするものである。
また、請求項２の発明は、読取媒体を設置するコンタクトガラスと、コンタクトガラスに設置された読取媒体をコンタクトガラスに押し付ける圧板と、コンタクトガラスに設置された読取媒体の画像を読み取る画像読取手段とを備えた画像読取装置において、当該画像読取装置内にカードを挿入するためのカード挿入口と、上記圧板と上記カード挿入口との間に配置され、上記カード挿入口に挿入された上記カードを上記コンタクトガラスを保持する筐体に押し付けながら上記コンタクトガラスと上記圧板との当接面に向けて搬送する搬送手段を有し、上記カード挿入口に挿入されたカードを、コンタクトガラスと圧板との当接面へ挿入するカード挿入手段と、上記筐体の上記コンタクトガラスよりも上記カード挿入口側に、上記カード挿入時は、少なくともコンタクトガラス側の端部が、該コンタクトガラスの読取媒体設置面よりも突出し、上記カード抜き出し時は、少なくともコンタクトガラス側の端部が、該コンタクトガラスの読取媒体設置面と同一高さ以下となる底板とを備え、上記搬送手段のカード搬送方向長さが、カードのカード搬送方向長さ未満であり、上記圧板は、上記筐体に対して開閉自在に取り付けられており、上記搬送手段を、上記圧板とともに上記筐体に対して開閉自在に設けたことを特徴とするものである。
また、請求項３の発明は、請求項１または２の画像読取装置において、上記コンタクトガラスの上記読取媒体が設置される設置領域の一部が、上記カード挿入手段による挿入完了後のカードが設置されるカード設置領域の少なくとも一部として用いられることを特徴とするものである。
また、請求項４の発明は、請求項１乃至３いずれかの画像読取装置において、上記圧板の上記カード挿入口との対向面を、上記カード挿入口へ近づくにつれ上記コンタクトガラスから離間するテーパ面としたことを特徴とするものである。
また、請求項５の発明は、請求項１乃至４いずれかの画像読取装置において、少なくとも上記コンタクトガラスのカードが設置される部分と対向する第１圧板と、上記コンタクトガラスの第１圧板と対向していない部分と対向する第２圧板とを備えたことを特徴とするものである。
また、請求項６の発明は、請求項５の画像読取装置において、上記第２圧板に上記カードが突き当る付き当て面を設けたことを特徴とするものである。
また、請求項７の発明は、請求項１乃至６いずれかの画像読取装置において、読取媒体がセットされる読取媒体セット部と、読取媒体が排出される読取媒体排出部とを有し、読取媒体セット部にセットされた読取媒体を画像読取手段の読取位置を経由して、上記読取媒体排出部へ排出する自動搬送装置を備え、該自動搬送装置は、上記圧板の上部に設けられており、上記自動搬送装置に上記カード挿入手段を設けたことを特徴とするものである。
また、請求項８の発明は、請求項７の画像読取装置において、上記圧板の上部に上記自動搬送装置の上記読取媒体排出部が設けられており、上記カード挿入手段を上記読取媒体排出部の読取媒体搬送方向下流部に設けたことを特徴とするものである。
また、請求項９の発明は、請求項１乃至８いずれかの画像読取装置において、上記カード挿入手段をユニット化して、装置本体に対して着脱可能に構成したことを特徴とするものである。
また、請求項１０の発明は、請求項１乃至９いずれかの画像読取装置において、読取媒体がセットされる読取媒体セット部と、読取媒体が排出される読取媒体排出部とを有し、読取媒体セット部にセットされた読取媒体を画像読取手段の読取位置を経由して、上記読取媒体排出部へ排出する自動搬送装置と、上記カード挿入口にカードが挿入されたことを検知するカード検知手段と、上記読取媒体セット部に読取媒体がセットされたことを検知する読取媒体セット検知手段とを備え、コンタクトガラスに設置された読取媒体の画像を読み取るフラットベッドスキャンモードと、カード挿入口に挿入されたカードの画像を読み取るカードスキャンモードと、自動搬送装置で読取媒体を搬送しながら、読取媒体の画像を読み取るＡＤＦスキャンモードとを有し、上記カード検知手段の検知結果と、上記読取媒体セット検知手段の検知結果とに基づいて、上記モードを選択するモード選択手段を備えたことを特徴とするものである。
また、請求項１１の発明は、請求項１乃至１０いずれかの画像読取装置において、上記カード挿入口を、当該装置を操作するための操作部が設けられた側に設けたこと特徴とする画像読取装置。
また、請求項１２の発明は、記録材に画像を形成する画像形成手段と、読取媒体の画像を読み取る画像読取装置とを備え、該画像読取装置で読み取った画像を該画像形成手段によって該記録材に形成する画像形成装置において、上記画像読取装置として、請求項１乃至１１のいずれかの画像読取装置を用いたことを特徴とするものである。
【発明の効果】
【０００９】
本発明によれば、カード挿入手段で、コンタクトガラスと圧板との当接面へカードを挿入するので、カードは、圧板によってコンタクトガラスに圧接する。これにより、コンタクトガラスに設置された読取媒体と画像読取手段との距離と、カード挿入口に挿入されたカードと画像読取手段との距離が同一となり、ピント調整機構などを設けなくても、コンタクトガラスに設置された読取媒体の画像と、カード挿入口に挿入されたカードの画像とを鮮明に読み取ることができる。
また、カード挿入口にカードを挿入することで、カードの画像を読み取ることができるので、圧板を開閉することなく、カードの読取を行うことができ、カードの画像を読み取る際の作業を簡素化することができる。
【図面の簡単な説明】
【００１０】
【図１】実施形態に係る複写機を示す概略構成図。
【図２】同複写機における画像形成部の内部構成の一部を拡大して示す部分拡大構成図。
【図３】同画像形成部における４つのプロセスユニットからなるタンデム部の一部を示す部分拡大図。
【図４】同複写機の画像読取装置の概略構成図。
【図５】同複写機のスキャナ部及びＡＤＦを示す斜視図。
【図６】蝶番周辺の拡大斜視図。
【図７】複写機の斜視図。
【図８】（ａ）は、カード挿入機構を第２コンタクトガラス側からみたときの概略構成図。（ｂ）は、画像読取装置の側面図。
【図９】（ａ）は、図８に示す点線ａの位置の断面図。（ｂ）は、図８に示す点線ｂの位置の断面図。（ｃ）は、図８に示す点線ｃの位置の断面図。
【図１０】カード読取フロー図。
【図１１】カード挿入機構の動作を説明する図。
【図１２】カード挿入ユニットを画像読取装置から取り外した様子を説明する図。
【図１３】変形例１のカード挿入機構の動作説明図。
【図１４】カード挿入口を装置正面に設けた構成を示す図。
【図１５】圧板とカード読取部とを取り外した状態の従来の画像読取装置の平面図。
【図１６】（ａ）は、従来の画像読取装置のカード読取部周辺の斜視図。（ｂ）は、従来の画像読取装置のカード読取部の断面図。
【発明を実施するための形態】
【００１１】
以下、本発明を、電子写真方式の複写機（以下、単に複写機という）に適用した実施形態について説明する。
まず、本実施形態に係る複写機の基本的な構成について説明する。図１は、本複写機を示す概略構成図である。この複写機は、画像形成手段たる画像形成部１と、白紙供給装置４０と、画像読取装置５０とを備えている。画像読取装置５０は、画像形成部１の上に固定されたスキャナ部１５０と、これに支持される搬送手段たるＡＤＦ５１とを有している。
【００１２】
白紙供給装置４０は、ペーパーバンク４１内に多段に配設された２つの給紙カセット４２、給紙カセットから転写紙を送り出す送出ローラ４３、送り出された転写紙を分離して給紙路４４に供給する分離ローラ４５等を有している。また、画像形成部１の給紙路３７に転写紙を搬送する複数の搬送ローラ４７等も有している。そして、給紙カセット内の転写紙を画像形成部１内の給紙路３７内に給紙する。
【００１３】
図２は、画像形成部の内部構成の一部を拡大して示す部分拡大構成図である。画像形成手段としての画像形成部１は、光書込装置２や、Ｋ，Ｙ，Ｍ，Ｃ色のトナー像を形成する４つのプロセスユニット３Ｋ，Ｙ，Ｍ，Ｃ、転写ユニット２４、紙搬送ユニット２８、レジストローラ対３３、定着装置３４、スイッチバック装置３６、給紙路３７等を備えている。そして、光書込装置２内に配設された図示しないレーザーダイオードやＬＥＤ等の光源を駆動して、ドラム状の４つの感光体４Ｋ，Ｙ，Ｍ，Ｃに向けてレーザー光Ｌを照射する。この照射により、感光体４Ｋ，Ｙ，Ｍ，Ｃの表面には静電潜像が形成され、この潜像は所定の現像プロセスを経由してトナー像に現像される。なお、符号の後に付されたＫ，Ｙ，Ｍ，Ｃという添字は、ブラック，イエロー，マゼンタ，シアン用の仕様であることを示している。
【００１４】
プロセスユニット３Ｋ，Ｙ，Ｍ，Ｃは、それぞれ、感光体とその周囲に配設される各種装置とを１つのユニットとして共通の支持体に支持するものであり、画像形成部１本体に対して着脱可能になっている。ブラック用のプロセスユニット３Ｋを例にすると、これは、感光体４Ｋの他、これの表面に形成された静電潜像をブラックトナー像に現像するための現像装置６Ｋを有している。また、後述するＫ用の１次転写ニップを通過した後の感光体４Ｋ表面に付着している転写残トナーをクリーニングするドラムクリーニング装置１５なども有している。本複写機では、４つのプロセスユニット３Ｋ，Ｙ，Ｍ，Ｃを、後述する中間転写ベルト２５に対してその無端移動方向に沿って並べるように対向配設した、いわゆるタンデム型の構成になっている。
【００１５】
図３は、４つのプロセスユニット３Ｋ，Ｙ，Ｍ，Ｃからなるタンデム部の一部を示す部分拡大図である。なお、４つのプロセスユニット３Ｋ，Ｙ，Ｍ，Ｃは、それぞれ使用するトナーの色が異なる他はほぼ同様の構成になっているので、同図においては各符号に付すＫ，Ｙ，Ｍ，Ｃという添字を省略している。同図に示すように、プロセスユニット３は、感光体４の周りに、帯電装置２３、現像装置６、ドラムクリーニング装置１５、除電ランプ２２等を有している。
【００１６】
感光体４としては、アルミニウム等の素管に、感光性を有する有機感光材の塗布による感光層を形成したドラム状のものを用いている。但し、無端ベルト状のものを用いても良い。
【００１７】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００１８】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサ１０などを有している。
【００１９】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１２は、ドクタブレード１４との対向位置からスリーブの回転方向に向けて順次並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１３表面に引き寄せて担持させるとともに、スリーブ表面上で磁力線に沿った磁気ブラシを形成する。
【００２０】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００２１】
ドラムクリーニング装置１５としては、ポリウレタンゴム製のクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置２１に受け渡す。リサイクル搬送装置２１は、受け渡されたトナーを現像装置１５に送ってリサイクルする。
【００２２】
除電ランプ２２は、光照射によって感光体４を除電する。除電された感光体４の表面は、帯電装置２３によって一様に帯電せしめられた後、光書込装置２による光書込処理がなされる。なお、帯電装置２３としては、帯電バイアスが印加される帯電ローラを感光体４に当接させながら回転させるものを用いている。感光体４に対して非接触で帯電処理を行うスコロトロンチャージャ等を用いてもよい。
【００２３】
先に示した図２において、４つのプロセスユニット３Ｋ，Ｙ，Ｍ，Ｃの感光体４Ｋ，Ｙ，Ｍ，Ｃには、これまで説明してきたプロセスによってＫ，Ｙ，Ｍ，Ｃトナー像が形成される。
【００２４】
４つのプロセスユニット３Ｋ，Ｙ，Ｍ，Ｃの下方には、転写ユニット２４が配設されている。この転写ユニット２４は、複数のローラによって張架した中間転写ベルト２５を、感光体４Ｋ，Ｙ，Ｍ，Ｃに当接させながら図中時計回り方向に無端移動させる。これにより、感光体４Ｋ，Ｙ，Ｍ，Ｃと中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，Ｙ，Ｍ，Ｃによって中間転写ベルト２５を感光体４Ｋ，Ｙ，Ｍ，Ｃに向けて押圧している。これら１次転写ローラ２６Ｋ，Ｙ，Ｍ，Ｃには、それぞれ図示しない電源によって１次転写バイアスが印加されている。これにより、Ｋ，Ｙ，Ｍ，Ｃ用の１次転写ニップには、感光体４Ｋ，Ｙ，Ｍ，Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００２５】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００２６】
この２次転写ニップの図中右側方には、レジストローラ対３３が配設されており、ローラ間に挟み込んだ転写紙を中間転写ベルト２５上の４色トナー像に同期させ得るタイミングで２次転写ニップに送り出す。２次転写ニップ内では、中間転写ベルト２５上の４色トナー像が２次転写電界やニップ圧の影響によって転写紙に一括２次転写され、転写紙の白色と相まってフルカラー画像となる。２次転写ニップを通過した転写紙は、中間転写ベルト２５から離間して、紙搬送ベルト２９のおもて面に保持されながら、その無端移動に伴って定着装置３４へと搬送される。
【００２７】
２次転写ニップを通過した中間転写ベルト２５の表面には、２次転写ニップで転写紙に転写されなかった転写残トナーが付着している。この転写残トナーは、中間転写ベルト２５に当接するベルトクリーニング装置によって掻き取り除去される。
【００２８】
定着装置３４に搬送された転写紙は、定着装置３４内における加圧や加熱によってフルカラー画像が定着させしめられた後、定着装置３４から排紙ローラ対３５に送られた後、機外へと排出される。
【００２９】
先に示した図１において、紙搬送ユニット２２および定着装置３４の下には、スイッチバック装置３６が配設されている。これにより、片面に対する画像定着処理を終えた転写紙が、切換爪で転写紙の進路を転写紙反転装置側に切り換えられ、そこで反転されて再び２次転写転写ニップに進入する。そして、もう片面にも画像の２次転写処理と定着処理とが施された後、排紙トレイ上に排紙される。
【００３０】
次に、画像形成部１の上に固定された画像読取装置５０について、説明する。
図４は、画像読取装置５０の概略構成図である。
画像読取装置５０は、スキャナ部１５０とＡＤＦ５１とを備えている。
スキャナ部１５０の筐体１５７の上面には、第１コンタクトガラス１５４と、第２コンタクトガラス１５５とを備えている。スキャナ部１５０内には、画像読取手段が設けられている。画像読取手段は、光源１５２ａや第１ミラー１５２ｂを有する第１キャリッジ１５２、第２ミラー１５１ａや第３ミラー１５１ｂを有する第２キャリッジ１５１、固定レンズ１５３、撮像素子（ＣＣＤ）１５６などで構成されている。第１キャリッジ１５２、第２キャリッジ１５１は、第２コンタクトガラス１５５に対して平行に移動可能に設けられている。第２キャリッジ１５１は、第１キャリッジ１５２の１／２の速度で移動するよう構成されている。第１キャリッジ１５２は、未使用時は第１コンタクトガラス１５４と対向する位置をホームポジション（ＨＰ位置）としてそこで停止している。
【００３１】
スキャナ部１５０の上に配設されたＡＤＦ５１には、読取媒体セット部たる原稿トレイ５３、ピックアップローラ８０、排紙ローラ対９３、読取媒体排出部たる排紙トレイ５５等が原稿搬送経路に沿って順次配設されている。排紙トレイ５５は、排紙ローラ対９３によって排出された読取媒体である原稿をスタックするための平面部エリア５５ａと、排紙トレイ５５から原稿落下を防ぐために設けられた斜面部エリア５５ｂとからなる。
【００３２】
また、ＡＤＦ５１は、搬送路（イ）、排紙路（ロ）、スイッチバック搬送路（ハ）、反転路（二）を有している。搬送路（イ）はガイド８３ａ、８３ｂの間に形成されたものであり、分離部より分離搬送された原稿ＭＳを第１コンタクトガラス１５４上へ搬送させるための経路である。排紙路（ロ）は、ガイド８７ａ、８７ｂの間に形成されてあものであり、第１コンタクトガラス１５４上を通って搬送された原稿ＭＳを排出口９４へ移動させるための経路である。スイッチバック搬送路（ハ）は、原稿トレイ５３の下部で、かつ、排紙トレイ５５の上方に設けられたガイド５４ａ、５４ｂと分岐爪９５との間に形成されたものであり、排出口９４から排紙された原稿ＭＳをスイッチバックさせて、原稿後端から反転路（二）へ搬送するものである。反転路（ニ）はガイド８４ａ、８４ｂの間に形成されたものであり、搬送路（イ）と合流しており、スイッチバックされた原稿ＭＳを再び搬送路（イ）へ搬送するための経路である。
【００３３】
ＡＤＦ５１の排紙トレイ５５の底部には、弾性部材を介して白色の圧板９７が設けられている。圧板９７は、第２コンタクトガラス１５５上に設置された原稿ＭＳを第２コンタクトガラス１５５に浮き無く押さえつけるものである。前記の弾性部材は、スポンジ、マジックテープ（登録商標）を用いることができる。また、ブラケットを用いて圧板９７と排紙トレイ５５との間に隙間が形成されるよう圧板９７を支持して、機械的に圧板９７を弾性保持しても問題ない。図５に示すように、ＡＤＦ５１と圧板９７との一体物は、スキャナ部１５０に固定された蝶番１５９によって上下方向に揺動可能に支持されている。そして、その揺動によって開閉扉のような動きをとり、開かれた状態でスキャナ部１５０の上面の第１コンタクトガラス１５４や第２コンタクトガラス１５５を露出させる。
【００３４】
図６は、蝶番１５９周辺の拡大斜視図である。
図に示すように、蝶番１５９は、ＡＤＦ５１を支えるフレーム部１５９ａと、スキャナ１５０の上面に固定される固定部１５９ｂと有しており、フレーム部１５９ａが固定部１５９ｂに対して回動自在に固定されている。固定部１５９ｂには、フィラー部材３２３が取り付けられている。フレーム部１５９ａには、センサ固定板１５９ｃが取り付けられており、このセンサ固定板１５９ｃに、開閉センサ３２１が取り付けられている。開閉センサ３２１は、光透過型センサであり、図に示すように、ＡＤＦ５１が閉じられているとき、センサの受光部と発光部とがフィラー部材３２３を挟んで対向している。ＡＤＦ５１が開放されると、開閉センサ３２１の受光部が、発光部からの光を受光し、ＡＤＦ５１が開かれたことを検知する。すなわち、本実施形態においては、開閉センサ３２１、フィラー部材３２３などで、開閉検知手段を構成している。
【００３５】
また、図５に示すように、スキャナ部１５０の正面部には、テンキーやディスプレイ等からなる操作部たる本体操作部３００を有しており、この本体操作部３００は、操作者によって両面読取モードか、あるいは片面読取モードかを示す読取モード設定のためのキー操作や、コピースタートキー１５８の押下操作などが行われる。
【００３６】
本画像読取装置５０は、フラットベッドスキャンモードと、ＡＤＦスキャンモードとを備えている。フラットベッドスキャンモードは、第２コンタクトガラス１５５上に載置された状態の原稿の画像を読み取る動作モードである。
【００３７】
フラットヘッドスキャンモードでは、第１キャリッジ１５２がＨＰ位置から図４中右側へ移動しながら第２コンタクトガラス１５５上にセットされた原稿に光源１５２ａから光を照射する。光源１５２ａから発せられて原稿で反射した走査光は、第１ミラー１５２ｂ、第２ミラー１５１ａ、第３ミラー１５１ｂ上で順次反射して、固定レンズ１５３で結像された後、撮像素子（ＣＣＤ）１５６に取り込まれる。取り込まれた結像データはデジタル信号として適宜処理され、ファクシミリ機能によって電話回線を介して遠隔地へ送られたり、画像形成部１に送られたりする。
【００３８】
ＡＤＦスキャンモードでは、原稿トレイ５３に原稿ＭＳがセットされたことを原稿積置センサ５７により検知され、かつ、テンキーやディスプレイ等からなる本体操作部３００のスタートキー１５８（図５参照）押下操作などが行われると、ピックアップローラ８０が待機位置から下降して原稿束における一番上の原稿に当接する。ピックアップローラ８０が原稿と当接したら、ピックアップローラ８０を回転駆動して、原稿ＭＳを原稿トレイ５３上から送り出す。
【００３９】
ピックアップローラ８０によって送り出された原稿ＭＳは、フィードローラ８１とリバースローラ８２とで構成された分離部へ搬送される。そして、フィードローラ８１とリバースローラ８２とによって数枚の原稿が分離され最上位の原稿ＭＳだけが搬送路（イ）へ搬送される。なお、リバースローラ８２のかわりに分離パッドを用いてもよい。
【００４０】
搬送路（イ）へ搬送された原稿は、搬送ローラ対８６により、ガイド８３ａ、８３ｂにより形成された湾曲搬送路へ搬送される間に上下面が逆転され、読取入口ローラ対８９のローラ間のニップへ搬送される。ピックアップローラ８０、フィードローラ８１、搬送ローラ８６は、すべての原稿の読取動作が終了するまで常に回転しており、順次搬送ローラ対８６へ原稿が搬送される。しかし、搬送ローラ８６以降のローラの線速をフィードローラ８１の線速に対して早く設定しているので、所定の紙間が形成されて、搬送路（イ）内を原稿が搬送される。
【００４１】
読取入口ローラ対８９を通過した原稿ＭＳの先端は、レジストセンサ６５の直下を通過する。このとき原稿ＭＳの先端がレジストセンサ６５によって検知され、読取開始タイミングがとられ、原稿の先端が第１コンタクトガラス１５４の読取位置に到達するタイミングにあわせて読取が開始される。また、レジストセンサ６５により、原稿の後端が検知されると、読取終了のタイミングがとられ、原稿の後端が読取位置を通過するタイミングにあわせて読取が終了される。
【００４２】
操作者によって片面読取モードが設定されている場合は、分岐爪９５が常に図中実線位置あるため第１コンタクトガラス１５４を通過した原稿は、排紙ローラ対９３によって排出口９４から排紙トレイ５５に排紙されて、画像面を下に積載されていく。すべての原稿の読取が終了すると、ピックアップローラ８０を上昇させて待機位置に移動させる。
【００４３】
操作者によって両面読取モードが設定されている場合は、原稿ＭＳの先端がレジストセンサ６５に検知されると、読取開始タイミングがとられるとともに、分岐爪９５を図中点線位置に移動させ、反転ローラ対９６を正転方向（図中時計回り方向）に回転させる。また、フィードローラ８１およびピックアップローラ８０の駆動をクラッチなどにより解除し、次原稿を給紙せずに待機しておく。第１コンタクトガラス１５４を通過した原稿は、排紙ローラ対９３により排出口９４からスイッチバック経路（ハ）に搬送される。
【００４４】
レジストセンサ６５が原稿の後端を検知してからＴ秒後（原稿後端が排出口９４を完全に抜けるだけの時間を経過した後）に、分岐爪９５を図中実線位置に切り替えるとともに、反転ローラ対９６の回転方向を逆転方向（図中反時計回り方向）にし、原稿を反転路（ニ）へ導く。反転路（ニ）に進入した原稿は搬送路（イ）へ送り込まれる。そして原稿の先端が再びレジストセンサ６５に検知され、読取開始タイミングがとられるとともに、再び分岐爪９５を図中点線位置に移動し、反転ローラ対９６は正転方向に回転させる。そして、裏面の画像が読み込まれた原稿は、排紙ローラ対９３により、スイッチバック経路（ハ）へ搬送される。そして、再び、反転路（二）、搬送路（イ）を経て、第１コンタクトガラス上を通過するが、このときは、読取動作は行わない。また、レジストセンサ６５により原稿の先端が検知されても、分岐爪９５を実線位置の状態にして、原稿を排紙トレイ５５におもて面を下にして排紙させる。また、原稿後端の３回目の通過がレジストセンサ５６によって検知されると、原稿積置センサ５７が原稿を検知しているときは、次原稿の給紙動作が行われ、上述の動作が行われる。一方、原稿積置センサ５７が原稿を検知していないときは、両面原稿読取が終了する。
【００４５】
また、図７に示すように、スキャナ部１５０の側面には、運転免許証などの一般的なカードサイズのカードを挿入するカード挿入口１２０が設けられている。このカード挿入口１２０の幅と厚みは、一般的なカードサイズとほぼ同サイズとなっている。カード挿入口１２０に挿入されたカードは、図８、図９に示すような、カード挿入手段たるカード挿入機構１００により、第２コンタクトガラス１５５と圧板との当接面に挿入される。
【００４６】
図８（ａ）は、カード挿入機構１００を第２コンタクトガラス１５５側からみたときの概略構成図であり、（ｂ）は、画像読取装置の側面図である。図９（ａ）は、図８に示す点線ａの位置の断面図であり、図９（ｂ）は、図８に示す点線ｂの位置の断面図であり、図９（ｃ）は、図８に示す点線ｃの位置の断面図である。
カード挿入機構１００は、ＡＤＦ５１の排紙トレイ５５の斜面部エリア５５ｂ内に設けられており、カードを第２コンタクトガラス１５５と圧板との当接面に搬送する搬送手段たる２個のカード搬送ローラ１０４ａ，１０４ｂ、カード挿入口１２０にカードが挿入されたことを検知するカード検知手段たるカード検知機構１１０、カード挿入口１２０に挿入されたカードに対してカード搬送ローラ１０４ａ，１０４ｂを接離させる接離手段たる揺動アーム１０１ａ，１０１ｂなどを備えている。
【００４７】
２個のカード搬送ローラ１０４ａ，１０４ｂは、所定の間隔を開けて、回転軸１０３に固定されており、回転軸１０３の両端部付近は、軸受などを介して揺動アーム１０１ａ，１０１ｂに回転自在に支持されている。回転軸１０３の一端は、不図示の駆動源と接続されており、駆動源の駆動力により、回転駆動する。カード搬送ローラ１０４ａ，１０４ｂは第２コンタクトガラス１５５の端部上に配置される。カード搬送ローラ１０４ａ、１０４ｂは、ゴムなどの部材で構成されている。また、回転軸１０３には、スポンジなどの柔らかい部材で構成される２個のカード呼び込みローラ１０２ａ，１０２ｂが、カード搬送ローラ１０４と揺動アーム１０１との間に固定されている。カード呼び込みローラ１０２ａ，１０２ｂの外周面には、カード挿入口１２０に挿入されたカードに搬送力を付与するための突起Ｘが形成されている。カード呼び込みローラ１０２ａ，１０２ｂの直径は、カード搬送ローラ１０４ａ，１０４ｂの直径よりも大きくなっている。
【００４８】
図９（ｂ），（ｃ）に示すように、揺動アーム１０１ｂは、略中央部がＡＤＦの筐体５２に回転自在に支持されている。揺動アーム１０１ｂのカード搬送ローラ１０４ｂが取り付けられた側と反対側の端部（非ローラ側端部という）には、アクチュエータ１０７ｂが設けられている。また、揺動アーム１０１ａも揺動アーム１０１ｂと同様な構成を有している。
【００４９】
ＡＤＦ５１の筐体５２には、カード検知手段たるカード検知機構１１０が取り付けられている。カード検知機構１１０は、透過型光学センサからなるカード検知センサ１１３、フィラー部材１１１を有している。フィラー部材１１１は、図９（ｃ）に示すように、鉛直方向に延びるカード当接部１１１ａと、カード当接部に対して傾斜したフィラー部１１１ｂと有している。カード当接部１１１ａとフィラー部１１１ｂとの間の貫通孔に支持ピン１１２が貫通している。支持ピン１１２は、ＡＤＦ５１の筐体５２に支持されている。
また、図８（ｂ）に示すように、カード挿入口１２０のフィラー部材１１１と対向する箇所は、他の部分よりも広く開口している。これは、読取後のカードをカード挿入口１２０へ搬送するとき、フィラー部材１１１のカード当接部１１１ａが、ＡＤＦ５１の筐体５２とぶつからないようにするためである。
【００５０】
図８に示すように、圧板９７の主走査方向両端部付近には、揺動アーム１０１ａ，１０１ｂの揺動の妨げとならにように、切り欠き９７ｃが形成されている。また、図９（ｂ）、図９（ｃ）に示すように、圧板９７のカード挿入口側端部付近には、第２コンタクトガラス１５５から離間する方向に延びる段差部９７ａと、第２コンタクトガラス１５５のカードが設置される部分と離間して対向するこの離間面９７ｂとを有している。離間面９７ｂには、弾性部材１０８を介して子圧板１０５が取り付けられている。子圧板１０５のカード挿入口側には、カード挿入口１２０へ近づくにつれて第２コンタクトガラス１５５から離間するテーパ面が形成されている。すなわち、本実施形態においては、子圧板１０５が、コンタクトガラスのカードが設置される部分と対向する第１圧板として機能し、圧板９７が、コンタクトガラスの第１圧板と対向していない部分と対向する第２圧板として機能する。
【００５１】
カード挿入口１２０は、スキャナ部１５０の筐体１５７の上面を削る形で構成されたカード案内溝１２０ａ（図１２参照）と、ＡＤＦ筐体５２の底面とで構成されている。カード案内溝１２０ａの幅方向長さは、カードの幅とほぼ同じとなっている。スキャナ部１５０の筐体１５７の上面を削る形で形成するので、第２コンタクトガラス１５５の表面とカード挿入口１２０の底面との高さをほぼ一致させることができ、カードを第２コンタクトガラス１５５の表面と平行に挿入することで、第２コンタクトガラス１５５上まで搬送することができる。
【００５２】
また、スキャナ部１５０の筐体１５７の上面を削ることで、第２コンタクトガラス１５５の端部付近が露出している。図８に示すように、スキャナ部１５０の筐体１５７の上面を削ることで、第２コンタクトガラス１５５の露出した部分のカード挿入口側端部から、圧板９７の段差部９７ａと対向する位置までが、第２コンタクトガラス１５５のカード読取領域Ｈ１となっている。また、第２コンタクトガラス１５５のフラッドベッドスキャンモードにおける原稿読取領域Ｈ２は、圧板９７と子圧板１０５とが当接する領域であり、図８に示すように、原稿読取領域Ｈ２のカード挿入口側端部は、圧板９７のカード挿入口側端部となる。カード読取領域Ｈ１は、原稿読取領域Ｈ２と一部重なっていて、この重なっている部分は、カード挿入機構１００によってカードが、圧板と第２コンタクトガラス１５５との当接面に挿入される部分である。そして、圧板９７とカード挿入口１２０との間に配置されるカード搬送ローラ１０４ａ，１０４ｂ、カード呼び込みローラ１０２ａ，１０２ｂの直径は、カードの長さよりも十分に短くなっている。よって、原稿読取領域Ｈ２のカード挿入口側端部から、カード挿入口１２０までの長さＬ１を、カード長さよりも短くできる。一方、第２コンタクトガラス１５５と、カード挿入口１２０との間に、第２コンタクトガラス１５５とは別のカード読取用のガラスを設け、原稿読取領域Ｈ２の一部をカード読取領域Ｈ１として用いないものは、原稿読取領域Ｈ２のカード挿入口側端部から、カード挿入口までの長さが、カード長さより長くなる。よって、原稿読取領域Ｈ２の一部をカード読取領域Ｈ１として用いないものに比べて、装置を小型化することができる。
【００５３】
次に、カードの読取動作について、説明する。
図１０は、カード読取フロー図であり、図１１は、カード挿入機構１００の動作を説明する図である。
図１０に示すように、カード挿入口１２０にカードＣを挿入すると、図１１（ａ）に示すように、フィラー部材１１１のカード当接部１１１ａが押されて、フィラー部材１１１が図中時計回りに回動し、フィラー部材１１１のフィラー部１１１ｂが、カード検知センサ１１３の受光部１１３ａと発光部１１３ｂとの間に位置して、発光部１１３ｂの光を遮断する。これにより、カード挿入口１２０にカードＣがセットされたことが検知される。また、カード挿入口１２０は、ほぼカード幅であるので、カードＣは、カード挿入溝１２０ａにガイドされた状態で挿入される。このため、スキューの心配は無い。
【００５４】
カード挿入口１２０にカードＣがセットされたことが検知（Ｓ１のＹＥＳ）されたら、不図示の制御部は、不図示の駆動源を駆動し、回転軸１０３を回転駆動させ、カード呼び込みローラ１０２ａ，１０２ｂを正回転（図中時計回りに回転）させる（Ｓ２）。そして、カードＣの先端が、子圧板１０５の近傍まで搬送されたら、駆動を停止する。
【００５５】
次に、本体操作部３００のスタートキー１５８（図５参照）押下操作などが行われると、不図示の制御部は、読取媒体セット検知手段たる原稿積置センサ５７の検知結果、カード検知センサ１１３の検知結果、開閉センサ３２１の検知結果を調べて、動作モードを選択する。すなわち、不図示の制御部が、モード選択手段として機能する。原稿積置センサ５７が原稿「有り」、カード検知センサ１１３がカード「無し」、開閉センサ３２１が「閉」を検知しているときは、上述のＡＤＦスキャンモードが選択される。また、原稿積置センサ５７が原稿「無し」、カード検知センサ１１３がカード「無し」、開閉センサ３２１が「閉」のときは、上述のフラットベッドスキャンモードが選択される。また、原稿積置センサ５７が原稿「無し」、カード検知センサ１１３がカード「有り」、開閉センサ３２１が「閉」のときは、カード読取モードが選択される。また、開閉センサ３２１が「開」を検知しているときは、スキャン動作を禁止し、コピースタートキー１５８の押下操作されても、スキャン動作が開始されないように制御している。
【００５６】
本体操作部３００のスタートキー１５８（図５参照）押下操作をトリガーにして、原稿積置センサ５７の検知結果、カード検知センサ１１３の検知結果、開閉センサ３２１の検知結果を調べた結果、カード読取モードが選択されたら、アクチュエータ１０７を駆動して、揺動アーム１０１ａ，１０１ｂの非ローラ側端部を図中上方へ移動させる。すると、スポンジなどの柔らかい部材で構成されたカード呼び込みローラがつぶれていき、カード搬送ローラ１０４ａ，１０４ｂが下降する（Ｓ３）。そして、図１１（ｂ）に示すように、カード搬送ローラ１０４ａ，１０４ｂがカードと当接したら、アクチュエータ１０７の駆動を停止する。
【００５７】
カード搬送ローラ１０４ａ，１０４ｂがカードＣと当接したら、カード搬送ローラ１０４ａ，１０４ｂを正回転（図中時計回りに回転）させる（Ｓ４）。すると、カードＣの先端で子圧板１０５を押し退けて、カードＣが、第２コンタクトガラス１５５と子圧板１０５との当接面に挿入される。このとき、子圧板１０５のカード挿入口側側面は、テーパ面となっているため、カードＣの先端で、子圧板１０５を押し退けやすくなっている。また、本実施形態においては、第２コンタクトガラス１５５のカード読取領域Ｈ１に当接する圧板を、子圧板１０５として、圧板９７とは別部材にしている。これにより、第２コンタクトガラス１５５全体と対向する圧板を押し退けるよりも、少ない搬送力で、圧板を押し退けることができる。カードＣは、図１１（ｃ）に示すように、カードの先端が、段差部９７ａに突き当るまで搬送される。カードＣの先端を段差部９７ａに突き当てることで、カードＣのスキューを抑制することができる。すなわち、本実施形態においては、この段差部９７ａが、付き当て面として機能する。
【００５８】
カードＣの先端が、段差部９７ａに付き当ったら、カード搬送ローラ１０４ａ，１０４ｂの駆動を停止し、図１１（ｄ）に示すように、第１キャリッジ１５２を、移動させて第２コンタクトガラス１５５のカード読取領域Ｈ１に設置されたカードＣに光源から光を照射し、カードＣの画像を読み込む（Ｓ５）。このとき、カードは、カード読取領域Ｈ１の原稿読取領域Ｈ２と重なる部分は、子圧板１０５により第２コンタクトガラス１５５側へ押圧され、カード読取領域Ｈ１の原稿読取領域Ｈ２と重ならない部分は、カード搬送ローラ１０４ａ，１０４ｂと、カード呼び込みローラ１０２ａ，１０２ｂとにより第２コンタクトガラス側へ押圧される。よって、カードＣの画像を読み込む際に、カードが第２コンタクトガラス１５５から浮き上がることはない。
【００５９】
キャリッジ１５２が、ＨＰの位置へ戻ったら、カード搬送ローラ１０４ａ，１０４ｂを逆回転（図中反時計回りに回転）させ（Ｓ６）、カードＣをカード挿入口１２０へ向けて搬送し（Ｓ６）、図１１（ｅ）に示すように、カードＣの後端がカード挿入口１２０から所定量露出したらカード搬送ローラ１０４ａ，１０４ｂの駆動を停止する。このとき、カードＣのカード挿入口１２０の移動によって、フィラー部材１１１が図中反時計回りに回動するが、カード挿入口１２０のフィラー部材１１１と対向する箇所は、広く開いているため、フィラー部材１１１のカード当接部１１１ａは、筐体５２に当接することはない。これにより、フィラー部材１１１が、カード挿入口側への移動の妨げとなることはない。そして、図１１（ｆ）に示すように、アクチュエータ１０７を駆動して、カード搬送ローラ１０４ａ，１０４ｂをカードＣから離間させる（Ｓ７）。
【００６０】
取り込んだカード画像は、用紙の所定の位置に複写される。また、本体操作部３００を操作するなどにして、カード画像を用紙のどの位置に複写するかを選択できるよう構成してもよい。
【００６１】
このように、本実施形態の画像読取装置においては、カードを第２コンタクトガラスと圧板との当接面に挿入するカード挿入機構１００を設けているので、ＡＤＦ５１と圧板９７との一体物の開閉動作を行わずに、カードを第２コンタクトガラスにセットすることができる。これにより、カードの画像を読み込む際の作業の手間を簡素化することができる。また、挿入されたカードＣは、子圧板１０５により第２コンタクトガラス１５５側へ押圧せしめられるので、カードが第２コンタクトガラスに密着し、良好な画像データを得ることができる。また、カードは、筐体１５７の案内溝１２０ａ内を移動し、カード挿入機構１００は、ＡＤＦ５１に設けられているため、ＡＤＦと圧板の一体物を持ち上げることで案内溝１２０ａ内のカードが露出する。これにより、カード搬送不良が発生した際は、ＡＤＦと圧板の一体物を持ち上げることで処理を行うことができる。また、カード挿入機構１００を搬送路などがないＡＤＦの排紙トレイ５５の斜面部エリア５５ｂに設けることで、搬送路などのレイアウトを考慮せずに、カード挿入機構１００を設けることができる。また、ＡＤＦ内にカード挿入機構１００を設けるので、装置の小型化を図ることができる。
【００６２】
また、図１１（ａ）や図１１（ｆ）に示すように、カードを搬送するとき以外は、カード搬送ローラ１０４ａ、１０４ｂは、圧板９７の第２コンタクトガラス１５５と当接する当接面や、子圧板１０５の第２コンタクトガラス１５５と当接する当接面よりも、ＡＤＦ内部に位置している。これにより、ＡＤＦ５１の開閉動作により、カード搬送ローラ１０４ａ、１０４ｂが第２コンタクトガラス１５５とぶつかることがなく、第２コンタクトガラス１５５がカード搬送ローラ１０４ａ，１０４ｂにより傷つけられることがない。また、ＡＤＦ５１を閉じたときに、圧板９７や子圧板１０５が、第２コンタクトガラス１５５表面から浮き上がることもない。なお、カード呼び込みローラ１０２ａ，１０２ｂは、スポンジなどの柔らかい部材で構成されているため、ＡＤＦ５１の開閉動作により、カード呼び込みローラ１０２ａ，１０２ｂが第２コンタクトガラス１５５にぶつかったとしても、第２コンタクトガラス１５５が傷つけられることがほとんどない。また、製造誤差などによって、呼び込みローラ１０２ａ，１０２ｂの一部が、圧板９７や子圧板１０５の第２コンタクトガラス１５５との当接面よりも第２コンタクトガラス側に突出していたとしても、ＡＤＦを閉じたとき、カード呼び込みローラ１０２ａ，１０２ｂがつぶれるので、圧板９７や子圧板１０５が、第２コンタクトガラス表面から浮き上がることもない。
【００６３】
また、上述では、カード挿入口１２０から第２コンタクトガラス１５５にセットされたカードを圧板９７とは別の子圧板１０５で押圧しているが、圧板９７で押圧してもよい。このように構成することで、子圧板１０５や子圧板１０５を弾性的に支持するための弾性部材１０８が不要となり、装置を安価にできるというメリットがある。
【００６４】
また、図１２に示すように、カード挿入機構１００をユニット化して、画像読取装置５０に対して着脱可能に構成してもよい。
排紙トレイ５５の斜面部エリア５５ｂの下部にカード挿入機構１００が存在するため、図１２に示すように、カード挿入機構１００を有するカード挿入ユニット１４０に排紙トレイの斜面部エリア５５ｂを形成し、排紙トレイの平面部エリア５５ａからカード挿入ユニット１４０を着脱可能に構成している。カード自動搬送の機能を必要としないユーザーに対しては、カード挿入機構１００が無い、すなわち、斜面部エリア５５ｂの中が空っぽのユニットを装置本体に取り付け、カード自動搬送機能を必要とユーザーに対しては、斜面部エリア５５ｂの中にカード挿入機構１００を有するカード挿入ユニット１４０を装置本体に取り付ける。これにより、カード自動搬送機能を必要としないユーザーに対して、販売機種を安価に提供することもできる。また、カード挿入機構１００が無い状態で購入して、後日カード自動搬送機能を必要とする場合に容易に追加することができる。
【００６５】
［変形例１］
次に、変形例１について説明する。
上述では、図９（ｂ）、（ｃ）に示すように、第２コンタクトガラス１５５の表面とカード挿入口１２０の底面との高さをほぼ一致させているが、製造誤差により完全に一致させることは困難である。第２コンタクトガラス１５５の表面とカード挿入口１２０の底面との高さが異なっていると、カード搬送不良が生じるおそれがある。すなわち、カード挿入口１２０の底面が、第２コンタクトガラス１５５の表面よりも高さが低いと、カード挿入時に、カードの先端が第２コンタクトガラス１５５の端部に引っ掛かり、カード搬送不良となるおそれがある。逆に、カード挿入口１２０の底面が、第２コンタクトガラス１５５の表面よりも高さが高いと、カード取り出し時に、カードの後端（カード挿入口側端部）が、カード挿入口１２０の底面の端部に引っ掛かり、カード搬送不良となるおそれがある。そこで、変形例１においては、次のように構成して、カード搬送不良を抑制している。
【００６６】
図１３は、変形例１の画像読取装置のカード挿入機構周辺の概略構成図である。
図に示すように、スキャナ部１５０の筐体１５７のカード案内溝１２０ａに底板１３１が設けられている。底板１３１のカード挿入口側端部が、カード挿入口１２０の側面（カード案内溝の側面でもある）に回転自在に取り付けられており、底板１３１の第２コンタクトガラス側の端部付近は、コイルスプリング１３２により筐体１５７上面から離間する方向へ付勢されている。カード案内溝１２０ａは、第２コンタクトガラス１５５の表面から底板１３１の厚み以上削られている。また、筐体１５７のカード案内溝１２０ａには、上記コイルスプリング１３２が貫通する貫通孔１５７ａが設けられていて、コイルスプリング１３２がこの貫通孔１５７ａを貫通して、一端が底板１３１に取り付けられている。また、コイルスプリング１３２の他端は、筐体１５７内部の不図示のバネ取り付け部に取り付けられている。また、揺動アーム１０１ａ，１０１ｂの搬送ローラ側の端部には、底板１３１の第２コンタクトガラス側端部を筐体上面へ押し付けるための押付部１３３が形成されている。
【００６７】
図１３（ａ）に示すように、カードＣがカード挿入口１２０に挿入される前の状態においては、底板１３１の第２コンタクトガラス側端部は、コイルスプリング１３２の付勢力により筐体１５７のカード挿入口１２０の底面部分から離間しており、第２コンタクトガラス表面よりも底板１３１の第２コンタクトガラス側端部の方が高くなっている。よって、図１３（ｂ）に示すように、カードＣがカード挿入口１２０に挿入されたとき、カードＣの先端が、第２コンタクトガラス１５５のカード挿入口側端部に引っ掛かることなく、カードＣを第２コンタクトガラス表面へ搬送することができる。
【００６８】
次に、カード挿入口１２０に挿入されたカードＣにカード搬送ローラ１０４ａ，１０４ｂを当接させるべく、揺動アーム１０１ａ，１０１ｂを図中時計回りに回転させると、揺動アーム１０１ａ，１０１ｂの押付部１３３が、底板１３１と当接する。そして、さらに、カード搬送ローラ１０４ａ，１０４ｂを当接させるべく、揺動アーム１０１ａ，１０１ｂを図中時計回りに回転させていくと、底板１３１が図中反時計回りに回転し、図１３（ｃ）に示すように、底板１３１の第２コンタクトガラス側端部が、カード挿入口１２０の底面部分と当接する。カード挿入口１２０の底面部分は、第２コンタクトガラス１５５の表面から底板１３１の厚み以上削られているため、底板１３１の第２コンタクトガラス側端部が、カード挿入口１２０の底面部分と当接すると、底板１３１の第２コンタクトガラス側端部は、第２コンタクトガラス表面の高さ以下となる。カード画像の読取が終わり、カード搬送ローラ１０４ａ，１０４ｂを逆回転させて、カードＣをカード挿入口１２０側へ移動させるときは、底板１３１が、揺動アームの押付部１３３によってカード挿入口１２０の底面部分に押し付けられているので、底板１３１の第２コンタクトガラス側端部は、第２コンタクトガラス表面の高さ以下となっている。よって、カードＣの後端（カード挿入口側端部）は、底板１３１の第２コンタクトガラス側端部に引っ掛かることなく、カードＣをカード挿入口１２０へ移動させることができる。
【００６９】
また、上述では、画像読取装置５０の側面に、カード挿入口１２０を設けているが、図１４に示すように、本体操作部３００が設けられた側である画像読取装置５０の正面にカード挿入口１２０を設けてもよい。ユーザーが装置を操作する際は、装置の本体操作部３００が設けられた側である装置の正面にユーザーが立つので、その装置正面にカード挿入口１２０を設けることで、カード挿入口１２０へのカードの抜き出しや挿入の操作性が向上する。
【００７０】
以上、本実施形態の画像読取装置によれば、カードが挿入されるカード挿入口１２０と、カード挿入口１２０に挿入されたカードを、第２コンタクトガラス１５５と圧板との当接面へ挿入するカード挿入手段たるカード挿入機構１００を備えている。これにより、カード挿入口１２０にカードを挿入することで、第２コンタクトガラス１５５にカードをセットすることができる。その結果、第２コンタクトガラス１５５にカードをセットするために、圧板を開閉する必要がなくなり、カードの画像を読み取る際の作業を簡素化することができる。
また、第２コンタクトガラスと圧板との当接面にカードを挿入するので、カードは、第２コンタクトガラス表面にセットされる原稿と同様、第２コンタクトガラス表面と密接した状態で読取が行われる。よって、第２コンタクトガラス表面にセットされる原稿の画像を読み取るときと、カード挿入口に挿入されたカードの画像を読み取るときとで、ピントなどを変更する必要がない。その結果、ピント調整機構などを設ける必要がなく、装置を安価にすることができる。
【００７１】
また、第２コンタクトガラスと圧板との当接面にカードを挿入して、第２コンタクトガラスの読取媒体設置領域たる原稿読取領域の一部を、カード設置領域たるカード読取領域として用いるので、第２コンタクトガラスとは別に、カード読取用のコンタクトガラスを設けるものに比べて、装置の大型化を避けることができる。
【００７２】
また、圧板のカード挿入口１２０との対向面を、カード挿入口１２０へ近づくにつれ、第２コンタクトガラスから離間するテーパ面とした。これにより、カード挿入機構１００によって、第２コンタクトガラスと圧板との当接面にカードを挿入するとき、カードの先端がテーパ面と当接して、カードの先端で圧板を第２コンタクトガラスから離間する方向へ持ち上げやすくなり、容易にカードを圧板と第２コンタクトガラスとの当接面に挿入することができる。
【００７３】
また、本実施形態においては、第２コンタクトガラスに当接する圧板を、第２コンタクトガラス１５５のカードが設置される部分と対向する第１圧板たる子圧板１０５と、第２コンタクトガラス１５５の子圧板１０５と対向していない部分と対向する第２圧板たる圧板９７とで構成した。このように、第２コンタクトガラス１５５のカードが設置される部分と対向する圧板を子圧板１０５として、圧板９７とは別に設けることで、第２コンタクトガラス全面と密接する圧板を第２コンタクトガラスから離間する方向へ持ち上げる場合に比べて、圧板を持ち上げやすくすることができ、容易にカードを圧板と第２コンタクトガラスとの当接面に挿入することができる。
【００７４】
また、圧板９７にカードが突き当る付き当て面たる段差部９７ａを設けることによって、カード挿入口に挿入されたカードを第２コンタクト上の所定の位置にセットすることができる。これにより、読取スキューの発生を抑制することができる。
【００７５】
また、カード挿入機構１００は、圧板９７とカード挿入口１２０との間に配置され、カード挿入口１２０に挿入されたカードＣを第２コンタクトガラス１５５と圧板９７との当接面に向けて搬送する搬送手段たるカード搬送ローラ１０４ａ，１０４ｂを備えており、カード搬送ローラ１０４ａ，１０４ｂのカード搬送方向長さであるカード搬送ローラの直径をカードのカード搬送方向長さ未満としている。これにより、圧板のカード挿入口端部から、カード挿入口１２０までの距離を、カードのカード搬送方向長さよりも短くすることが可能となる。よって、原稿読取領域Ｈ２の一部をカード読取領域Ｈ１として用いず、圧板と、カード挿入口との間にカード読取領域Ｈ１を設けたものに比べて、装置の小型化を図ることができる。
【００７６】
また、カード搬送ローラは、第２コンタクトガラスを保持する筐体であるスキャナ部の筐体１５７上を、カードを搬送するものであり、カード搬送ローラ１０４ａ，１０４ｂを、圧板とともに筐体１５７に対して開閉自在に設ける。これにより、カードに搬送不良が生じたとき、圧板を開けることで、カードの搬送不良を処理することができる。
【００７７】
また、カード挿入機構１００は、カード挿入口１２０にカードが挿入されたことを検知するカード検知手段たるカード検知機構１１０と、カード搬送ローラ１０４ａ，１０４ｂを、上記筐体上のカードに対して接離させる接離手段たる揺動アーム１０１ａ，１０１ｂとを備えている。そして、制御手段たる制御部は、上記カード検知機構１１０が、上記カード挿入口１２０にカードが挿入されたことを検知したら、カード搬送ローラ１０４ａ，１０４ｂをカードに当接させて、カードを当接面に向けて搬送し、カードの読取動作の終了を検知したら、カードをカード挿入口１２０に向けて搬送したのち、カード搬送ローラ１０４ａ，１０４ｂを上記カードから離間させる。これにより、筐体上のカードを搬送するとき以外は、カード搬送ローラは、筐体から離間した位置に位置させることができる。よって、圧板を閉じるとき、カード搬送ローラが第２コンタクトガラスとぶつかることが防止され、第２コンタクトガラスの傷つきを抑制することができる。また、圧板を閉じたとき、カード搬送ローラによって、圧板の一部が第２コンタクトガラスから浮き上がることも防止することができる。
【００７８】
また、変形例１に示すように、筐体１５７の第２コンタクトガラス１５５よりもカード挿入口側に、カード挿入時は、少なくとも第２コンタクトガラス側の端部が、第２コンタクトガラス１５５の原稿設置面よりも突出し、カード抜き出し時は、少なくともコンタクトガラス側の端部が、第２コンタクトガラスの原稿設置面と同一高さ以下となる底板１３１を設けてもよい。これにより、カード挿入時にカードの先端が第２コンタクトガラスの端部に引っ掛かることがなく、カード搬送不良を抑制することができる。また、カード抜き出し時も、カードの後端が、筐体に引っ掛かることがなく、カード搬送不良を抑制することができる。
【００７９】
また、原稿がセットされる読取媒体セット部たる原稿トレイ５３と、原稿が排出される読取媒体排出部たる排紙トレイ５５とを備え、原稿トレイ５３にセットされた原稿を画像読取手段の読取位置を経由して、排紙トレイ５５へ排出する自動搬送装置たるＡＤＦ５１を圧板の上部に設け、上記カード挿入機構１００を上記ＡＤＦ５１に設けた。これにより、ＡＤＦとは別にカード挿入機構を設けるものに比べて、装置の小型化を図ることができる。
【００８０】
また、カード挿入機構を、原稿を搬送する搬送ローラなどから遠い排紙トレイ５５の原稿搬送方向下流部に設けることで、ＡＤＦ５１の搬送路などを考慮せずに、カード挿入機構を設けることができる。
【００８１】
また、カード挿入機構１００をユニット化して、装置本体に対して着脱可能に構成することによって、カード自動搬送機能が欲しいユーザーに対してのみ、カード挿入機構１００を取り付けることが可能となる。また、カード挿入機構１００が故障した際、ユニットとして交換できるため、カード挿入機構１００の交換を容易に行うことができる。
【００８２】
また、コンタクトガラスに設置された読取媒体の画像を読み取るフラットベッドスキャンモードと、カード挿入口に挿入されたカードの画像を読み取るカードスキャンモードと、ＡＤＦで原稿を搬送しながら、原稿の画像を読み取るＡＤＦスキャンモードとを有し、モード選択手段たる制御部は、カード検知機構１１０の検知結果と、読取媒体セット検知手段たる原稿積置センサ５７との検知結果に基づいて、上記モード選択する。これにより、ユーザーは、動作モードを選択する必要がなくなるので、読取時の作業を簡素化することができる。
【００８３】
また、カード挿入口を、当該装置を操作するための操作部たる本体操作部３００が設けられた側である装置正面に設けることで、カードを挿入口に抜き差しする操作性が、カード挿入口を装置の側面に設けた場合に比べて、向上する。
【符号の説明】
【００８４】
１：画像形成部
５０：画像読取装置
５２：ＡＤＦの筐体
５３：原稿トレイ
５５：排紙トレイ
５７：原稿積置センサ
９７：圧板
９７ａ：段差部
９７ｂ：離間面
１００：カード挿入機構
１０１ａ，１０１ｂ：揺動アーム
１０２ａ，１０２ｂ：カード呼び込みローラ
１０３：回転軸
１０４ａ，１０４ｂ：カード搬送ローラ
１０５：子圧板
１０８：弾性部材
１１０：カード検知機構
１１１：フィラー部材
１１２：支持ピン
１１３：カード検知センサ
１２０：カード挿入口
１２０ａ：カード案内溝
１３１：底板
１３２：コイルスプリング
１３３：押付部
１４０：カード挿入ユニット
１５０：スキャナ部
１５１：第１キャリッジ
１５２：第２キャリッジ
１５３：固定レンズ
１５４：第１コンタクトガラス
１５５：第２コンタクトガラス
１５７：スキャナ部の筐体
１５９：蝶番
３００：本体操作部
３２１：開閉センサ
３２３：フィラー部材
【先行技術文献】
【特許文献】
【００８５】
【特許文献１】特開２００８−１４５４８７号公報
【図１】
0005403421.tif 000002
【図２】
0005403421.tif 000003
【図３】
0005403421.tif 000004
【図４】
0005403421.tif 000005
【図５】
0005403421.tif 000006
【図６】
0005403421.tif 000007
【図７】
0005403421.tif 000008
【図８】
0005403421.tif 000009
【図９】
0005403421.tif 000010
【図１０】
0005403421.tif 000011
【図１１】
0005403421.tif 000012
【図１２】
0005403421.tif 000013
【図１３】
0005403421.tif 000014
【図１４】
0005403421.tif 000015
【図１５】
0005403421.tif 000016
【図１６】
0005403421.tif 000017